(57)【特許請求の範囲】
【請求項１】
電子機器を構成する各種電子部品を内部に収納するために、導電性材料からなる複数の部材にて箱状に組み立てられる電子機器ケースであって、
当該ケースを構成する外壁面の内、面積が最も大きい第１面と該第１面に隣接する第２面との２面が開口するように形成された箱形部材と、
該箱形部材の一方の開口面である前記第１面を閉塞するように前記箱形部材に組み付けられる板状の第１部材と、
前記箱形部材の他方の開口面である前記第２面を閉塞するように前記箱形部材に組み付けられる板状の第２部材と、
からなり、
前記第２部材には、信号入力又は出力用の端子が突設されており、
前記箱形部材及び前記第１部材の少なくとも一方には、前記第１部材の板面に沿って延設された鍔部が形成され、該鍔部には、取付対象となる壁面にねじ止めするためのねじ孔が穿設されていることを特徴とする電子機器ケース。
【請求項２】
前記第２部材の板面において、前記端子は、前記第１部材が配置される当該ケースの裏面寄りの部分と、前記第１部材と対向する前記箱形部材の板面である当該ケースの表面寄りの部分とに、複数分散して配置されており、
該複数の端子の内、当該ケースの裏面寄り部分に配置される端子は、当該ケースの表面寄り部分に配置される端子に比べて、前記第２部材の板面からの突出長さが長いことを特徴とする請求項１に記載の電子機器ケース。
【請求項３】
前記箱形部材において、前記第２部材と対向する板面には、給電用の電源コードをケース内部に引き込む電源コード挿通孔が穿設されていることを特徴とする請求項１又は請求項２に記載の電子機器ケース。
【請求項４】
前記箱形部材において、前記第２部材と対向する板面には、信号入力又は出力用の端子を挿通するための端子挿通孔が穿設されていることを特徴とする請求項１〜請求項３の何れか１項に記載の電子機器ケース。
【請求項５】
前記箱形部材及び前記第２部材の少なくとも一方には、当該ケース内部に収納された電子部品の特性を外部から調整するための調整用孔が穿設されていることを特徴とする請求項１〜請求項４の何れか１項に記載の電子機器ケース。
【請求項６】
受信アンテナ及びＣＡＴＶシステムの伝送線の少なくとも一方から伝送されてきた高周波信号を増幅する増幅回路が形成された増幅回路基板と、該増幅回路にて増幅された高周波信号を複数に分配する分配回路が形成された分配回路基板とを備え、該各回路基板を、請求項１〜請求項５の何れか１項に記載の電子機器ケース内に収納してなる増幅装置であって、
前記分配回路基板は、前記電子機器ケースを構成する第２部材に板面が平行になるように組み付けられて、前記分配後の高周波信号を、前記第２部材に組み付けられた端子を介して外部に出力するように構成され、
前記増幅回路基板は、当該増幅回路基板の一端縁及び前記分配回路基板の基板面に組み付けられた一対のコネクタを介して、当該増幅回路基板の基板面が前記分配回路基板の基板面と直交するように、前記分配回路基板に立設され、前記電子機器ケース内では、前記第１部材の板面に対して平行に配置されていることを特徴とする増幅装置。
【請求項７】
外部から電源供給を受けて前記増幅回路に動作用の定電圧を供給する電源回路が形成された電源回路基板を、前記電子機器ケースの第１部材に組み付け、
前記電源回路基板への電源供給は、前記電子機器ケースを構成する箱形部材の前記第２部材との対向面に穿設された電源コード挿通孔に挿通した電源コードを介して行うように構成したことを特徴とする請求項６に記載の増幅装置。
【請求項８】
前記増幅回路基板の前記コネクタとは反対側端縁には、高周波信号入力用の信号入力端子が組み付けられており、
該増幅回路基板を前記電子機器ケースに収納した際、前記信号入力端子は、前記電子機器ケースを構成する箱形部材の前記第２部材との対向面に穿設された端子挿通孔から外部に突出されることを特徴とする請求項６又は請求項７に記載の増幅装置。
【発明の詳細な説明】
【０００１】
【発明の属する技術分野】
本発明は、電子機器を構成する各種電子部品を内部に収納するために、導電性材料からなる複数の部材にて箱状に組み立てられる電子機器ケース、及び、このケースを用いた増幅装置に関する。
【０００２】
【従来の技術】
従来より、各種電子機器を収納するのに用いられる電子機器ケースは、通常、シールド性を持たせるために、導電性を有する材料（導電性を有する金属、若しくはメッキ、コーティング、蒸着等によって表面に導電性を有する金属層を形成した合成樹脂等）を用いて、略直方体形状の箱状に形成されている。
【０００３】
また、電子機器ケースは、内部に電子機器を構成する各種電子部品を収納する必要があるため、直方体を形成する６面の内の一つを開口させた箱形部材と、その箱形部材の開口面を閉塞するように箱形部材に組み付けられる板状部材とから構成され、箱形部材の内部に各種電子部品を収納した後、箱形部材の開口面を板状部材にて閉塞することにより、内部を電磁的に密封するようにされている。
【０００４】
ところで、この種のケースに収納される電子機器には、各種信号を入出力する必要があるため、ケースの構成部材（つまり箱形部材や板状部材）には、信号入出力用の端子が組み付けられる。また、ケース内部に収納される電子機器が増幅回路のような能動回路である場合には、外部から電源を供給する必要があるため、ケースの構成部材には、給電用の端子や給電用の電源コードを挿通するための部材が組み付けられる。
【０００５】
このため、ケース内部に電子機器を構成する電子部品を収納する際には、単に箱形部材に回路基板等の各種電子部品を収納して箱形部材の開口面を板状部材で閉塞するだけではだめで、ケース内部に収納される電子部品（増幅回路等の各種機能回路が形成された回路基板）と信号入出力用の端子との接続、更には、ケース内部に収納される電子部品（電源トランスや電源回路が形成された回路基板）と給電用の端子若しくは電源コードとの接続が必要であった。
【０００６】
【発明が解決しようとする課題】
しかし、従来の電子機器ケースは、上記のように、箱の一つの面を開口させた箱形部材と、その開口面を閉塞するための板状部材との２つの部材にて構成されているため、例えば、箱形部材に電子部品を収納してから電子部品と端子（若しくは電源コード）との接続作業を行うようにすると、その接続作業に手間がかかり、組み付け時の工数が大きくなってしまうという問題があった。特に、小型化が要求される電子機器では、増幅回路等の機能回路を形成した回路基板や、電源回路基板を、平行に配置することが行われているが、このような電子機器では、各基板毎に端子（若しくは電源コード）との接続作業を行う必要があり、しかも、箱形部材の開口面積も小さくなるため、ケース内への電子部品の組み付け作業が極めて面倒になってしまう。
【０００７】
一方、ケース内に電子部品を収納する方法として、組み付け用のシャーシを利用して、板状部材に全ての電子部品を組み付けた後、その電子部品を覆うように箱形部材を被せる方法もある。そしてこの方法によれば、電子部品の組み付け時に邪魔になるものは無いため、組み付け時の作業性は向上できるものの、全ての電子部品を板状部材に組み付けることから、その組付けに利用するシャーシ等の組付用部品が多くなり、結果的に、工数アップ、コストアップを招くという問題がある。またこの場合、ケース内に収納する部品点数が増加するため、電子機器を小型化することができないという問題もある。
【０００８】
また、例えば、上記ケースを用いて構成される電子機器が、テレビ放送の受信信号やＣＡＴＶシステムからの伝送信号を増幅する増幅装置である場合、増幅後の信号の出力端子近傍に給電用の端子や電源コードを配置すると、出力端子から漏れ出た高周波信号が内部の電源ラインを通って、増幅回路の信号入力側に回り込み、増幅回路が発振することがある。このため、上記ケースを用いてこの種の増幅装置を構成する際には、ケースに組み付けられる信号出力用の端子と給電用の端子（若しくは電源コード）とをできるだけ離す必要があるが、このために、これら各端子（若しくは電源コード）を、ケースの異なる面に夫々組み付けるようにすると、各端子（若しくは電源コード）とケース内に収納される電子部品との接続作業がより面倒になるという問題もあった。
【０００９】
本発明は、こうした問題に鑑みなされたものであり、電子機器を構成する各種電子部品を内部に収納する際の組み付け作業を容易に行うことができる電子機器ケース、及び、このケースを用いて容易に組み立てられる増幅装置を提供することを目的とする。
【００１０】
【課題を解決するための手段及び発明の効果】
かかる目的を達成するためになされた請求項１記載の電子機器ケースにおいては、このケースを構成する外壁面の内、面積が最も大きい第１面と第１面に隣接する第２面との２面が開口するように形成された箱形部材と、箱形部材の一方の開口面である第１面を閉塞するように箱形部材に組み付けられる板状の第１部材と、箱形部材の他方の開口面である第２面を閉塞するように箱形部材に組み付けられる板状の第２部材との３つの部材から構成され、第２部材には、信号入力又は出力用の端子が突設されている。
【００１１】
このため、本発明の電子機器ケースによれば、一つの面だけが開口した箱形部材と板状部材との２つの部材から構成される従来の電子機器ケースに比べて、箱形部材の開口面積を大きくすることができる。よって、本発明によれば、ケース内部に電子部品を収納して電子機器を構成する場合の組み付け作業を簡単に行うことができ、組み付け時の工数を少なくすることができる。
【００１２】
また例えば、電子機器の小型化を図るために、２種類の回路基板をケース内に平行に配置するような場合には、ケースを構成する第１部材に一方の回路基板を組み付け、他方の回路基板を箱形部材若しくは第２部材に組み付ける、といったことができ、従来のように各回路基板を箱形部材に順に組み付ける必要がないので、これによっても、電子機器の組み立て作業を簡単にすることができる。
【００１３】
また組み付け時の作業性を向上するために、従来のように板状部材（第１部材若しくは第２部材）に全ての電子部品を組み付けるようにする必要もないので、その組付けに利用する組付用部品が多くなることはない。よって、本発明によれば、ケース内に収納する部品点数を必要最小限に抑えて、電子機器の小型化を図ることもできる。
【００１４】
また、請求項１に記載の電子機器ケースにおいては、箱形部材及び第１部材の少なくとも一方に、第１部材の板面に沿って延設された鍔部が形成されており、この鍔部には、取付対象となる壁面にねじ止めするためのねじ孔が穿設されている。このため、本発明の電子機器ケースによれば、鍔部を利用して所望の壁に固定することができる。
【００１５】
次に、請求項２に記載の電子機器ケースにおいては、ケース内への信号入力又は出力用の端子が、第２部材の板面において、第１部材が配置されるケースの裏面寄りの部分と、第１部材と対向する箱形部材の板面であるケースの表面寄りの部分とに、複数分散して配置されている。そして、これら複数の端子の内、ケースの裏面寄り部分に配置される端子は、ケースの表面寄り部分に配置される端子に比べて、第２部材の板面からの突出長さが長くなっている。
【００１６】
このため、請求項２に記載の電子機器ケースによれば、鍔部を利用してケースを所望の壁に固定した場合や、第１部材を下にして所望の場所に固定した場合に、各端子への信号線の接続がし易くなり、電子機器使用時の配線作業を容易に行うことが可能となる。
【００１７】
ここで、第２部材に組み付けられる端子は、ケース内部の電子部品に各種信号を入出力するためのものであるが、ケース内部に収納される電子部品が増幅回路等の能動回路を構成するものであり、これを動作させるために外部から電源コードを介して電源（例えば商用電源）を供給する必要がある場合には、請求項３に記載のように、その給電用の電源コードをケース内部に引き込む電源コード挿通孔を、箱形部材を構成する板面の内、第２部材と対向する板面に穿設するとよい。
【００１８】
つまり、このようにすれば、電源コードは第２部材に組み付けられる端子と最も離れた位置に配置されることから、端子と電源コードとの間で通過信号が干渉し合い電子機器の動作特性に悪影響を与えるのを防止できると共に、電子機器を使用するために第２部材に組み付けれた端子に信号線を接続する際に、電源コードが邪魔になるのを防止できる。
【００１９】
また、第２部材の面積が小さく、ケース内に信号を入・出力するための全ての端子を第２部材に設けることができない場合や、ケース内部に組み込む電子回路の配置等により同一方向に全ての端子を設けることができない場合は、請求項４に記載のように、箱形部材において第２部材と対向する板面に、信号入力又は出力用の端子を挿通するための端子挿通孔を穿設し、ケース内に設ける回路基板に直接組み付けた端子を、この端子挿通孔から突出させるようにしてもよい。
【００２０】
また更に、ケース内に収納される電子部品が、その特性を外部操作によって調整できるようにされている場合には、請求項５に記載のように、箱形部材や第２部材に調整用孔を穿設しておき、この調整用孔を利用して、外部から電子部品（延いては電子機器）の動作特性を調整できるようにしてもよい。
【００２４】
一方、請求項６に記載の発明は、受信アンテナ及びＣＡＴＶシステムの伝送線の少なくとも一方から伝送されてきた高周波信号を増幅する増幅回路が形成された増幅回路基板と、その増幅回路にて増幅された高周波信号を複数に分配する分配回路が形成された分配回路基板とを備え、これら各回路基板を、請求項１〜請求項５の何れか１項に記載の電子機器ケース内に収納した増幅装置に関するものである。
【００２５】
そして、この増幅装置において、分配回路基板は、電子機器ケースを構成する第２部材に板面が平行になるように組み付けられて、分配後の高周波信号を、第２部材に組み付けられた端子を介して外部に出力するように構成され、増幅回路基板は、増幅回路基板の一端縁及び分配回路基板の基板面に組み付けられた一対のコネクタを介して、増幅回路基板の基板面が分配回路基板の基板面と直交するように、分配回路基板に立設され、電子機器ケース内では、第１部材の板面に対して平行に配置されている。
【００２６】
つまり、分配回路を内蔵した増幅装置では、通常、端子が組み付けられたケースの壁面に対して直交するように増幅回路や分配回路が形成された基板を配置し、分配回路の複数の出力端とケースに組み付けられた複数の端子とを各々接続するようにされているが、本発明では、端子が組み付けられる板状の第２部材を備えたケースが使用されることから、第２部材に直接分配回路基板を組み付けることにより、分配回路の出力端と各端子との接続を極めて簡単に行うことができるようにし、増幅回路基板については、第１部材に平行になるように配置することにより、基板面積を大きくとって、所望の増幅回路を一つの基板上に形成できるようにしているのである。
【００２７】
また、増幅回路基板と分配回路基板とをこのように配置した場合、これら各回路基板間の接続が問題となるが、本発明では、増幅回路基板の一端縁と分配回路基板の基板面とに、夫々一対のコネクタを設け、このコネクタを介して、各回路基板間を簡単に接続できるようにしている。
【００２８】
このため、本発明によれば、上記請求項１〜請求項５の何れか１項に記載の電子機器ケースを利用して、分配回路を内蔵した増幅装置を極めて簡単に組み立てることができるようになる。
ところで、こうした増幅装置においては、増幅回路基板に形成された増幅回路に電源を供給する必要があり、このためには、ケース内に電源回路を収納する必要がある。そして、この電源回路は、例えば、増幅回路基板に増幅回路と一緒に形成することもできるが、このようにすると、増幅回路を流れる高周波信号が電源回路に漏れ出し、その漏れ出した高周波信号が電源ラインを通って、増幅回路の信号入力側に回り込む虞があるので、増幅回路と電源回路とは互いに異なる基板に形成することが望ましい。
【００２９】
そして、このように電源回路を形成した電源回路基板をケース内に収納する際には、請求項７に記載のように、電源回路基板が増幅回路基板と平行になるように、電源回路基板を、ケースを構成する第１部材に組み付け、電源回路基板への電源供給は、ケースを構成する箱形部材の第２部材との対向面に穿設された電源コード挿通孔に挿通した電源コードを介して行うようにするとよい。
【００３０】
つまり、このようにすれば、電源回路基板と増幅回路基板とを平行に配置することで、ケース（延いては増幅装置）の小型化を図ることができ、しかも、電源コードは、増幅後の高周波信号が流れる分配回路や端子が組み付けられる第２部材から最も離れた位置に配置されることから、増幅後の高周波信号が電源コードや電源ラインを通って増幅回路の信号入力側に回り込むのを防止して、増幅回路を安定して動作させることが可能となる。尚、この場合には、電子機器ケースとして、請求項３に記載のものを使用すればよい。
【００３１】
一方、本発明の増幅装置においては、第２部材に、信号出力用の端子が分配回路の分配数分設けられることから、第２部材の面積が小さい場合や分配回路の分配数が多い場合には、信号入力用の端子を第２部材に設けることができないことがある。また、増幅回路基板上での増幅回路の配置によっては、分配回路への信号の出力端であるコネクタと、増幅回路への信号入力端とを、増幅回路基板の同一端縁に集めることができないこともある。
【００３２】
そこで、このような場合には、請求項８に記載のように、増幅回路基板のコネクタとは反対側端縁に、高周波信号入力用の信号入力端子を組み付け、増幅回路基板を電子機器ケースに収納した際には、信号入力端子が、電子機器ケースを構成する箱形部材の第２部材との対向面に穿設された端子挿通孔から外部に突出されるようにするとよい。尚、この場合には、電子機器ケースとして、請求項４に記載のものを使用すればよい。
【００３３】
【発明の実施の形態】
以下に本発明の実施例を図面と共に説明する。
図１は、本発明が適用された実施例の増幅装置を用いて構築された棟内ＣＡＴＶシステムの概略構成図である。
【００３４】
図１に示す如く、本実施例の棟内ＣＡＴＶシステムは、外部の双方向ＣＡＴＶシステムのヘッドエンドからＣＡＴＶ伝送線２を介して伝送されてくる所定周波数帯（本実施例では、７０ＭＨｚ〜７７０ＭＨｚ）の下り信号を、分岐装置（所謂タップオフ）３及び保安器４を介して建造物内に取り込み、建造物内の各部屋に設置された受信装置（テレビ受像器、テレビチューナ等）１２やモデム（ヘッドエンドとの間で双方向通信を行うための所謂ケーブルモデム）１４まで伝送する共に、モデム１４に接続されたパーソナルコンピュータ等の情報端末１６からモデム１４を介して出力される所定周波数帯（本実施例では１０ＭＨｚ〜５５ＭＨｚ）の上り信号を、保安器４まで伝送し、保安器４から分岐装置３を介してＣＡＴＶ伝送線２上に送出することで、上り信号を外部の双方向ＣＡＴＶシステムのヘッドエンドへと伝送させるものである。
【００３５】
また、棟内ＣＡＴＶシステムには、システム専用の受信設備として、放送衛星（ＢＳ）からの放送電波を受信し、所定周波数帯（本実施例では１０３５ＭＨｚ〜１３３５ＭＨｚ）の中間周波信号（ＢＳ−ＩＦ）に周波数変換して出力するＢＳアンテナ６と、通信衛星（ＣＳ）からの放送電波を受信し、所定周波数帯（本実施例では１５２２ＭＨｚ〜２０７２ＭＨｚ）の中間周波信号（ＣＳ−ＩＦ）に周波数変換して出力するＣＳアンテナ８との２種類の受信アンテナが設置されており、これら各アンテナ６、８からの受信信号（以下単にＢＳ信号，ＣＳ信号という）についても、上記下り信号と共に端末側に伝送できるようにされている。
【００３６】
そして、このために棟内ＣＡＴＶシステムには、本発明が適用された増幅装置１０が設けられている。
この増幅装置１０は、保安器４を介して取り込まれた下り信号、ＢＳアンテナ６からの受信信号（ＢＳ信号）、及びＣＳアンテナ８からの受信信号（ＣＳ信号）を夫々所定レベルまで増幅し、これら各信号を混合して、端末側に送出すると共に、端末側から伝送されてきた上り信号を所定レベルまで増幅して、保安器４側（延いては外部の双方向ＣＡＴＶシステムのヘッドエンド側）に送出する、所謂双方向増幅器である。また、この増幅装置１０は、分配回路を内蔵しており、増幅後の下り信号、ＢＳ信号、ＣＳ信号を複数に分配（本実施例では８分配）して、建造物内の受信装置１２や情報端末１６に夫々伝送できるようにされている。
【００３７】
以下、この増幅装置１０の構成について詳しく説明する。
図２は、増幅装置１０の外観図であり、（ａ）は増幅装置１０を表面から見た正面図、（ｂ）は（ａ）において増幅装置１０を下方向から見た側面図、（ｃ）は（ａ）において増幅装置１０を左方向から見た側面図、（ｄ）は（ａ）において増幅装置１０を右方向から見た側面図である。
【００３８】
図２に示すように、本実施例の増幅装置１０は、裏面側で左右に突出した鍔部２０ａ，２０ｂを有する箱状（略直方体形状）の電子機器ケース（以下単にケースという）２０内に収納されている。
このケース２０は、例えばアルミダイキャスト等の導電性金属からなる３つの部材（後述する箱形部材２２と２種類の板状部材２４、２６）の組み合わせで構成されており、鍔部２０ｂが突出した左側側面からは、下り信号、ＢＳ信号、及びＣＳ信号を夫々入力するための入力端子Ｔａ、Ｔｂ、Ｔｃが突出し、鍔部２０ａが突出した右側側面からは、これら各信号が増幅され混合された棟内の伝送信号を分配出力するための８個の出力端子Ｔ１〜Ｔ８が突出している。
【００３９】
そして、これら出力端子Ｔ１〜Ｔ８の内の４個（出力端子Ｔ１〜Ｔ４）は、棟内の伝送線及びモデム１４を介して情報端末１６を接続することにより、情報端末１６からモデム１４及び伝送線を介して伝送されてくる上り信号を入力できるようになっており、その入力された上り信号は、内部の増幅回路で増幅された後、下り信号入力用の入力端子Ｔａから保安器４側（延いては外部の双方向ＣＡＴＶシステムのヘッドエンド側）に出力される。
【００４０】
また、上記各入力端子Ｔａ〜Ｔｃ及び出力端子Ｔ１〜Ｔ８は、棟内の伝送線としての同軸ケーブルを接続できるようにＦ型接栓にて構成されている。そして、図２（ｄ）に示すように、上記８個の出力端子Ｔ１〜Ｔ８は、ケース２０の右側側壁に上下２列に配置されており、鍔部２０ａが突出された裏面寄りの出力端子Ｔ２、Ｔ４、Ｔ６、Ｔ８には、表面寄りの出力端子Ｔ１、Ｔ３、Ｔ５、Ｔ７に比べて、ケース壁面からの突出長さが長い接栓が使用されている。
【００４１】
これは、鍔部２０ａ，２０ｂに穿設されたねじ孔Ｈ１〜Ｈ６を利用して、当該増幅装置１０を配電盤等の壁面にねじ止めした際に、裏面寄りの出力端子Ｔ２、Ｔ４、Ｔ６、Ｔ８への伝送線の接続作業を容易に行えるようにするためである。
また、ケース２０の左側側面からは、ケース２０に穿設された電源コード挿通孔を通して、電源コードＬACが引き出されている。この結果、この電源コードＬACを介して、後述するケース内の電源回路に、外部から商用電源を供給できるようになる。
【００４２】
また更に、鍔部２０ｂには、ケース２０全体のアースをとるために、上述した壁面固定用のねじ孔Ｈ４〜Ｈ６に加えて、接地用電線を接続するためのねじ孔Ｈgnd が穿設されており、ケース２０の表面及び右側側面には、ケース２０内に収納された増幅回路や分配回路の動作特性を外部操作によって調整するための複数の調整用孔Ｈcnt が穿設されている。
【００４３】
次に、図３は、ケース２０内に収納される増幅装置１０の回路構成を表すブロック図である。
図３に示すように、ケース２０内には、上記各信号を増幅する増幅回路が形成された増幅回路基板３０と、増幅後の信号を各出力端子Ｔ１〜Ｔ８から出力させる分配回路が形成された分配回路基板５０と、電源コードＬACを介して供給される商用電源を受けて、各増幅回路を動作させるための直流定電圧（本実施例では直流１５Ｖ）を生成する電源回路が形成された電源回路基板６０との３種の回路基板が収納される。
【００４４】
ここで、増幅回路基板３０には、上記各入力端子Ｔａ〜Ｔｃが接続されている。そして、入力端子Ｔａに入力された下り信号は、避雷器（ＡＲＲ）３１を介して、下り増幅回路３３に入力される。
下り増幅回路３３は、避雷器３１に接続された上り増幅回路４６からの上り信号の回り込みを遮断し、下り信号を選択的に通過させるカットオフ周波数が例えば７０ＭＨｚのハイパスフィルタ（ＨＰＦ）３３ａを介して、下り信号を取り込む。そして、ＨＰＦ３３ａを通過した下り信号は、操作スイッチによって減衰量を設定可能な減衰器（ＡＴＴ）３３ｂ、ボリューム操作によって当該下り増幅回路３３の利得を調整可能なゲインコントロール回路（ＧＣ）３３ｃを介して、初段の増幅回路３３ｄに入力される。
【００４５】
また、増幅回路３３ｄにて増幅された下り信号は、ノイズを遮断するために設けられたカットオフ周波数７０ＭＨｚのＨＰＦ３３ｅを介して、次段の増幅回路３３ｆに入力される。そして、この増幅回路３３ｆにて増幅された下り信号は、その周波数特性を調整するチルト回路３３ｇを介して、最終段の増幅回路３３ｈに入力され、最終段の増幅回路３３ｈで所定レベルまで増幅された後、ローパスフィルタ（ＬＰＦ）３３ｉを介して、入力信号を２分配する分配回路３５に入力される。尚、ＬＰＦ３３ｉは、以下に説明するＢＳ・ＣＳ増幅回路４２から出力されるＢＳ・ＣＳ信号を遮断し、下り信号を選択的に通過させるためのものであり、カットオフ周波数は、例えば７７０ＭＨｚに設定されている。
【００４６】
次に、入力端子Ｔｂに入力されたＢＳ信号は、ＡＲＲを内蔵した電源分離フィルタ（ＰＳＦ）３６を介して、ＢＳ増幅回路３７に入力される。尚、電源分離フィルタ（ＰＳＦ）３６は、電源回路で生成され、電源ラインＬDC1 を介して供給された直流電源（直流１５Ｖ）を、入力端子Ｔｂに接続されたＢＳアンテナ６に供給するためのものである。
【００４７】
そして、ＢＳ増幅回路３７は、操作スイッチによって減衰量を設定可能なＡＴＴ３７ａを介してＢＳ信号を取り込み、増幅回路３７ｂ及びＧＣ３７ｃにて、ＢＳ信号を所定レベルまで増幅し、その増幅後のＢＳ信号を、ＬＰＦ３７ｄを介して、ＢＳ・ＣＳ増幅回路４２に出力する。尚、ＬＰＦ３７ｄは、以下に説明するＣＳ増幅回路４０から出力されるＣＳ信号を遮断し、ＢＳ信号を選択的に通過させるためのものであり、カットオフ周波数は、例えば１３３５ＭＨｚに設定されている。
【００４８】
また次に、入力端子Ｔｃに入力されたＣＳ信号は、ＡＲＲを内蔵したＰＳＦ３９を介して、ＣＳ増幅回路４０に入力される。尚、ＰＳＦ３９は、端末側から出力端子Ｔ１〜Ｔ８の少なくとも一つに供給され、各出力端子Ｔ１〜Ｔ８に設けられた後述のＡＲＲ内蔵型ＰＳＦ５６ａ〜５６ｈにて分離されたＣＳアンテナ給電用の直流電圧を、電源ラインＬDC2 を介して取り込み、これを、入力端子Ｔｃに接続されたＣＳアンテナ８に供給するためのものである。
【００４９】
そして、ＣＳ増幅回路４０は、操作スイッチによって減衰量を設定可能なＡＴＴ４０ａを介してＣＳ信号を取り込み、増幅回路４０ｂ及びＧＣ４０ｃにて、ＣＳ信号を所定レベルまで増幅し、その増幅後のＣＳ信号を、ＨＰＦ４０ｄを介して、ＢＳ・ＣＳ増幅回路４２に出力する。尚、ＨＰＦ４０ｄは、ＢＳ増幅回路３７から出力されるＢＳ信号を遮断し、ＣＳ信号を選択的に通過させるためのものであり、カットオフ周波数は、例えば１５２２ＭＨｚに設定されている。
【００５０】
つまり、本実施例では、入力端子Ｔｂ及びＴｃに入力されたＢＳ信号及びＣＳ信号を、ＢＳ増幅回路３７及びＣＳ増幅回路４０にて所定レベルまで増幅した後、これらを混合して、ＢＳ・ＣＳ増幅回路４２に入力するようにされている。そして、ＢＳ・ＣＳ増幅回路４２では、その混合入力された各信号（ＢＳ・ＣＳ信号）を、縦続接続された４個の増幅回路４２ａ〜４２ｄにて増幅し、その増幅後のＢＳ・ＣＳ信号を、ＨＰＦ４２ｅを介して、分配回路３５に入力する。尚、ＨＰＦ４２ｅは、ＢＳ・ＣＳ信号と一緒に分配回路３５に入力される下り信号の回り込みを遮断し、ＢＳ・ＣＳ信号を分配回路３５側に選択的に通過させるためのものであり、カットオフ周波数は、例えば１０３５ＭＨｚに設定されている。
【００５１】
そして、分配回路３５では、上記各増幅回路で増幅された下り信号、ＢＳ信号、及びＣＳ信号が２分配され、その分配された一方の信号は、そのまま分配回路基板５０に出力され、他方の信号は、ＨＰＦ４４を介して、分配回路基板５０に出力される。尚、ＨＰＦ４４は、出力端子Ｔ１〜Ｔ４に入力され、分配回路基板５０側から伝送されてくる上り信号を遮断し、増幅後の下り信号、ＢＳ信号及びＣＳ信号のみを選択的に通過させるためのものであり、カットオフ周波数は、例えば７０ＭＨｚに設定されている。
【００５２】
次に、分配回路基板５０には、増幅回路基板３０側の分配回路３５にて２分配された各信号を夫々４分配する２つの分配回路５２及び５４が設けられている。そして、分配回路３５からＨＰＦ４４を介して出力された信号は、分配回路５２にて４分配された後、上り切換回路５８ａ〜５８ｄ、及び、ＡＲＲを内蔵したＰＳＦ５６ａ〜Ｔ６ｄを介して、出力端子Ｔ１〜Ｔ４迄伝送され、各出力端子Ｔ１〜Ｔ４から端末側に出力される。また、分配回路３５から出力されたもう一系統の信号は、分配回路５４にて４分配された後、ＡＲＲを内蔵したＰＳＦ５６ｅ〜Ｔ６ｈを介して、出力端子Ｔ５〜Ｔ８迄伝送され、各出力端子Ｔ５〜Ｔ８から端末側に出力される。
【００５３】
尚、分配回路基板５０に設けられるＰＳＦ５６ａ〜５６ｈは、出力端子Ｔ１〜Ｔ８にＣＳアンテナ給電用の直流電圧が入力された場合に、これを分離して、電源ラインＬDC2 に出力することにより、電源ラインＬDC2 を介して、増幅回路基板３０側のＰＳＦ３９にＣＳアンテナ給電用の直流電圧を供給するためのものである。
【００５４】
また、上り切換回路５８ａ〜５８ｄは、端末側から出力端子Ｔ１〜Ｔ４に上り信号が入力される場合に、その上り信号を通過させ、端末側から出力端子Ｔ１〜Ｔ４に上り信号が入力されない場合に、その上り信号の通過を遮断させるために、各切換回路５８ａ〜５８ｄが設けられる信号経路の周波数特性を下り信号通過型又は下り信号遮断型に切り換えるためのものである。
【００５５】
そして、この上り切換回路５８ａ〜５８ｄを介して、分配回路５２の出力側に上り信号が入力されると、分配回路５２の入力側から増幅回路基板３０へと上り信号が伝送されることになるので、増幅回路基板３０には、その上り信号をＬＰＦ４６ａを介して取り込み、所定レベルまで増幅した後、入力端子Ｔａから外部の双方向ＣＡＴＶシステムへと出力させる上り増幅回路４６が設けられている。尚、ＬＰＦ４６ａは、分配回路３５から出力される下り信号、ＢＳ信号、ＣＳ信号の上り増幅回路４６への回り込みを遮断し、上り信号を選択的に通過させるためのものであり、カットオフ周波数は、例えば５５ＭＨｚに設定されている。
【００５６】
そして、上り増幅回路４６では、ＬＰＦ４６ａを通過した上り信号が、上り信号の通過帯域を１０ＭＨｚ〜５５ＭＨｚにするか、それより狭い通過帯域にするかを外部操作によって切り換えるための帯域切換回路４６ｂを介して、増幅回路４６ｃに入力される。
【００５７】
また、増幅回路４６ｃに入力された上り信号は、この増幅回路４６ｃと次段のＧＣ４６ｄとにより所定レベルまで増幅され、ＡＴＴ４６ｅ、ＬＰＦ４６ｆ、ＡＲＲを介して、入力端子Ｔａまで伝送され、入力端子Ｔａから外部の双方向ＣＡＴＶシステム側に送出される。尚、ＬＰＦ４６ｆは、下り信号の回り込みを遮断し、上り信号を選択的に通過させるためのものであり、ＬＰＦ４６ａと同じカットオフ周波数のものが使用される。
【００５８】
また次に、電源回路基板６０には、電源コードＬACからの商用電源（一般に交流１００Ｖ）の入力経路に配置される避雷器（ＡＲＲ）６２と、ＡＲＲ６２を介して入力された商用電源（交流電圧）を直流電圧に整流する整流回路６４と、整流回路６４にて整流された直流電圧を安定化することにより上記各増幅回路を動作させるための直流定電圧を生成する定電圧回路６６とが形成されている。そして、この定電圧回路６６からの出力（本実施例では直流１５Ｖ）は、電源ラインＬDC1 を介して、上記各増幅回路やＧＣに供給されると共に、開閉スイッチＳＷ１を介して、ＰＳＦ３６に供給される。
【００５９】
次に、図４は、増幅装置１０の分解斜視図であり、図５は、その組み付け状態を説明する説明図である。尚、図５において、（ａ）は、増幅装置１０を図２（ｂ）と同方向から見た内部状態を表す断面図、（ｂ）は、増幅回路基板３０及び分配回路基板５０のケース２０への組み付け状態を説明する説明図、（ｃ）は、増幅回路基板３０と分配回路基板５０との接続構造を説明する説明図である。
【００６０】
図４及び図５（ａ）から明らかな如く、増幅装置１０のケース２０は、箱状のケース２０を構成する直方体の外壁面の内、面積が最も大きい第１面であるケース２０の裏面側と、これに隣接する第２面であり、８個の出力端子が設けられるケース２０の側面との２面が開口するように形成された箱形部材２２と、この箱形部材２２の一方の開口面である当該ケース２０の側面を閉塞するように箱形部材２２に組み付けられる板状部材（特許請求の範囲に記載の第２部材に相当する）２４と、箱形部材２２のもう一方の開口面である当該ケース２０の裏面側を閉塞するように箱形部材２２に組み付けられる板状部材（特許請求の範囲に記載の第１部材に相当）２６と、から構成されている。
【００６１】
そして、第２部材である板状部材２４には、図５（ｂ）に示すように、上述の出力端子Ｔ１〜Ｔ８が直接組み付けられると共に、これに接続される分配回路基板５０が板状部材の板面に沿って直接組み付けられており、更に、増幅回路基板３０が組み付けられたシャーシ２８が、ねじを介して着脱自在に組み付けられている。
【００６２】
また、第１部材である板状部材２６には、その板面に沿って、電源回路基板６０が直接組み付けられている。尚、箱形部材２２及び板状部材２６には、上述の鍔部２０ａ、２０ｂがケース裏面側の外壁面に沿って延設されている。
また次に、増幅回路基板３０が組み付けられるシャーシ２８は、図５（ｂ）に示すように、導電性の金属板にて、増幅回路基板３０の周囲を囲むように形成されており、その内部には、増幅回路基板３０に形成された各増幅回路を分離するシールド板２８ａが設けられている。
【００６３】
また、シャーシ２８の上下の開口面には、薄肉の導電性金属からなるシールド板２８ｂ，２８ｃが組み付けられており、シャーシ２８内の増幅回路基板３０を電源回路基板６０から発するノイズや外部から侵入するノイズから保護するようにされている。尚、シャーシ２８の上方に組み付けられるシールド板２８ｂには、内部回路調整用の孔が穿設されているのはいうまでもない。
【００６４】
そして、このシャーシ２８において、分配回路基板５０が組み付けられる板状部材２４とは反対側端部には、上述した３種の入力端子Ｔａ、Ｔｂ、Ｔｃが直接組み付けられ、これら各入力端子Ｔａ〜Ｔｃは、シャーシ２８に組み付けられた増幅回路基板３０の各回路に直接接続されている。
【００６５】
尚、ケース２０を構成する箱形部材２２には、このシャーシ２８に組み付けられた各入力端子Ｔａ〜Ｔｃを挿通するための端子挿通孔Ｈtnsが穿設されており、各入力端子Ｔａ〜Ｔｃは、この端子挿通孔Ｈtns から外部に突出されている。また、シャーシ２８に組み付けられた増幅回路基板３０の分配回路基板５０側端縁は、その中央部分で分配回路基板５０側に突出しており、その突出部分には、コネクタＣＮａが組み付けられている。また、分配回路基板５０の基板面には、このコネクタＣＮａに連結可能なコネクタＣＮｂが組み付けられている。
【００６６】
これは、シャーシ２８を板状部材２６に組み付けた際に、これらコネクタＣＮａ，ＣＮｂを介して、増幅回路基板３０と分配回路基板５０とが電気的に接続されるようにするためであり、本実施例では、この構造により、増幅装置１０の組立時に、増幅回路基板３０と分配回路基板５０（延いては出力端子）とを電気的に接続する接続作業が不要となる。
【００６７】
尚、分配回路基板５０に組み付けられるコネクタＣＮｂは、接続端子として９本のピンを有する雄型コネクタであり、増幅回路基板３０に組み付けられるコネクタＣＮａは、これら９本のピンを挿入可能な雌型コネクタであるが、本実施例では、この雌型コネクタの内、外側から偶数番目の４個の接点を除去し、残りの５個の接点の内、両側から２番目の２つの接点を信号伝送用、他の３つの接点を接地用とすることにより、これらコネクタＣＮａ，ＣＮｂを用いて、各回路基板を２本の同軸ケーブルで接続した場合と同等の伝送特性が得られるようにしている。
【００６８】
以上説明したように、本実施例では、増幅装置１０のケース２０を、直方体の２面が開口した形状の箱形部材２２と、その開口面を各々閉塞する２つの板状部材２４及び２６とから構成し、一方の板状部材２６には、出力端子Ｔ１〜Ｔ８を直接組み付けるようにしている。
【００６９】
このため、本実施例の増幅装置１０によれば、従来のケースを用いた場合に比べて、ケース２０への各回路基板の組付作業を容易に行うことができる。例えば、２つの部材から従来のケースを用いた場合、本実施例のように電源コードＬACの引き込み口と出力端子Ｔ１〜Ｔ８とを離し、増幅回路基板３０と電源回路基板６０とをケース２０内で平行に配置すると、電源コードＬACと電源回路基板６０との接続作業や、電源回路基板６０から増幅回路基板３０への電源ラインＬDC1 の配線作業が困難になるが、本実施例によれば、箱形部材２２の開口面が２面であり、その開口面積も大きくすることができるので、こうした作業を極めて簡単に行うことができる。
【００７０】
また、このように、本実施例では、電源コードＬACの引き込み口と出力端子Ｔ１〜Ｔ８とを離しているので、出力端子Ｔ１〜Ｔ８から出力される増幅後の高周波信号が、電源ライン等を介して増幅回路の入力側に回り込み、増幅回路が発振するのを確実に防止することができ、また、増幅回路基板３０と電源回路基板６０とをケース２０内で平行に配置するようにしているので、増幅装置１０全体の容積を小さくして、増幅装置１０の小型化を図ることができる。
【００７１】
また、上記のように、本実施例では、増幅回路基板３０を、電源回路基板６０と共にケース２０の最も大きい面に沿って配置し、分配回路基板５０を、その面に直交する側面に沿って配置し、増幅回路基板３０と分配回路基板５０とをコネクタＣＮａ，ＣＮｂを介して接続するようにしているので、増幅回路基板３０の基板面積を、ケース２０内に収納可能な最大面積にすることができ、しかも、増幅回路基板３０と分配回路基板５０との電気的な接続を極めて簡単に行うことができる。
【００７２】
また更に、本実施例の増幅装置１０は、鍔部２０ａ，２０ｂに設けられたねじ孔Ｈ１〜Ｈ６を利用して、所望の壁面に固定でき、しかも、壁面に固定した際に壁面寄りに配置される出力端子の長さを他の出力端子よりも長しているので、壁面に固定した際に各出力端子Ｔ１〜Ｔ８に伝送線を接続する際の接続作業を容易に行うことができる。
【００７３】
よって本実施例によれば、安定した増幅特性が得られ、使い勝手のよい増幅装置を、極めて簡単な組み立て作業で製造できることになり、その製造コストを低減することが可能となる。
以上、本発明の一実施例を説明したが、本発明は、上記実施例に限定されるものではなく、種々の態様を採ることができる。
【００７４】
例えば、上記実施例では、棟内ＣＡＴＶシステム用の増幅装置について説明したが、本発明の電子機器ケースは、こうした増幅装置に限定されるものではなく、種々の電子機器のケースとして利用することができる。また上記実施例では、ケース２０を構成する部材は、アルミダイキャスト製であるものとして説明したが、導電性の金属板にて構成してもよく、導電性樹脂を用いた射出成形によって構成してもよく、或いは、合成樹脂の射出成形によって構成した基材に、メッキ，蒸着等によって金属層を形成したものを使用してもよい。また更に、上記実施例では、ケース２０は、箱形部材２２と板状部材２４及び２６との３つの部材で構成されるものとして説明したが、板状部材２４及び２６の代わりに、これらを予め一体化した断面Ｌ型の部材を用いるようにしてもよい。
【図面の簡単な説明】
【図１】  実施例の棟内ＣＡＴＶシステムの構成を表す構成図である。
【図２】  実施例の増幅装置の外観を表す説明図である。
【図３】  実施例の増幅装置の回路構成を表すブロック図である。
【図４】  実施例の増幅装置の構成を表す分解斜視図である。
【図５】  実施例の増幅装置の組み付け状態（方法）を説明する説明図である。
【符号の説明】
６…ＢＳアンテナ、８…ＣＳアンテナ、１０…増幅装置、１２…受信装置、１４…モデム、１６…情報端末、２０…ケース（電子機器ケース）、２０ａ，２０ｂ…鍔部、２２…箱形部材、２４，２６…板状部材、２８…シャーシ、２８ａ，２８ｂ，２８ｃ…シールド板、３０…増幅回路基板、３３…下り増幅回路、３７…ＢＳ増幅回路、４０…ＣＳ増幅回路、４２…ＢＳ・ＣＳ増幅回路、４６…上り増幅回路、５０…分配回路基板、６０…電源回路基板。
【図１】
0004512256.tif 000002
【図２】
0004512256.tif 000003
【図３】
0004512256.tif 000004
【図４】
0004512256.tif 000005
【図５】
0004512256.tif 000006